(57)【要約】【課題】接続信頼性を保持することができるサンバイザ用コネクタを提供する。【解決手段】取付部材に取り付けられるブラケット５と、サンバイザ本体を回動可能に支持し端部がブラケット５を挿通して回動可能に配置されるアーム部９と、ブラケット５に固定されブラケット５を挿通するアーム部９の端部近傍に配置されるハウジング１１と、ハウジング１１に収容され相手端子に接続されるコネクタ端子１３と、コネクタ端子１３に弾性変形可能に設けられアーム部９の端部に付勢力によって接続されるアーム接続部１５とを備えたサンバイザ用コネクタ１において、ブラケット５とハウジング１１との間に、ハウジング１１に設けられた凸部１７をブラケット５に設けられた凹部１９に挿入して係合する係合部２１を設け、凸部１７に、凹部１９に対してアーム接続部１５の変形方向に押圧して当接される第１規制部２３を設けた。【選択図】図５
2020019417.tif 000002
【特許請求の範囲】
【請求項１】
取付部材に取り付けられるブラケットと、
前記取付部材の一側に配置されたサンバイザ本体を回動可能に支持し端部が前記ブラケットを挿通して回動可能に配置されるアーム部と、
前記ブラケットの前記取付部材の他側に固定され前記ブラケットを挿通する前記アーム部の端部近傍に配置されるハウジングと、
前記ハウジングに収容され前記取付部材の他側に配置された相手端子に接続されるコネクタ端子と、
前記コネクタ端子に弾性変形可能に設けられ前記アーム部の端部に付勢力によって接続されるアーム接続部と、
前記ブラケットと前記ハウジングとの間に設けられ前記ブラケットと前記ハウジングとのうちいずれか一方に設けられた凸部を他方に設けられた凹部に挿入して係合する係合部と、
前記凸部と前記凹部とのうち少なくともいずれか一方に設けられ他方に対して前記アーム接続部の変形方向に押圧して当接される第１規制部と、
を有することを特徴とするサンバイザ用コネクタ。
【請求項２】
請求項１記載のサンバイザ用コネクタであって、
前記第１規制部は、前記ハウジングを前記アーム接続部の付勢方向に押圧することを特徴とするサンバイザ用コネクタ。
【請求項３】
請求項１又は２記載のサンバイザ用コネクタであって、
前記ブラケットと前記ハウジングとの間には、前記ハウジングを前記ブラケットに回動させて組付けるときの支点となる支点部が設けられ、
前記凸部には、前記ハウジングの回動軌跡に沿って傾斜され前記凸部の前記凹部への挿入を案内する挿入ガイド部が設けられていることを特徴とするサンバイザ用コネクタ。
【請求項４】
請求項１乃至３のいずれか１項に記載のサンバイザ用コネクタであって、
前記凸部と前記凹部とのうち少なくともいずれか一方には、他方に対して前記アーム接続部の変形方向と直交する方向に押圧して当接される第２規制部が設けられていることを特徴とするサンバイザ用コネクタ。
【発明の詳細な説明】
【技術分野】
【０００１】
本発明は、サンバイザ用コネクタに関する。詳細には、取付部材に回動可能に取り付けられたサンバイザに適用されるサンバイザ用コネクタに関する。
【背景技術】
【０００２】
従来、サンバイザ用コネクタとしては、取付部材としての車室の天井に取り付けられるブラケットと、車室側に配置されたサンバイザ本体を回動可能に支持し端部がブラケットを挿通して回動可能に配置されるアーム部としての支軸と、ブラケットの車室外側に固定されブラケットを挿通する支軸の端部近傍に配置されるハウジングと、ハウジングに収容され車室外側に配置された相手端子に接続されるコネクタ端子と、コネクタ端子に弾性変形可能に設けられ支軸の端部に付勢力によって接続されるアーム接続部とを備えたものが知られている（例えば、特許文献１参照）。
【０００３】
このサンバイザ用コネクタでは、ハウジングの内部に、コネクタ端子が一対収容され、一対のアーム接続部が、支軸の端部に設けられた一対の導通部に対して挟持するように接続されている。
【０００４】
そして、サンバイザ本体を回動させることにより、一対のアーム接続部と支軸の一対の導通部とが、接触状態と非接触状態とを切り換えられ、サンバイザ本体に設けられた照明機器の点灯と消灯とが切り換えられる。
【先行技術文献】
【特許文献】
【０００５】
【特許文献１】特開２０１１−２３０５５９号公報
【発明の概要】
【発明が解決しようとする課題】
【０００６】
ところで、上記特許文献１のようなサンバイザ用コネクタでは、ハウジングに設けられた凸状の下部領域をブラケットに設けられた凹状の被係合部に係合することにより、ハウジングをブラケットに固定している。
【０００７】
しかしながら、上記特許文献１のサンバイザ用コネクタのようなブラケットとハウジングとの固定構造では、凸状の下部領域と凹状の被係合部との間に隙間があり、ブラケットに対してハウジングがガタついてしまう。
【０００８】
このようなハウジングのガタつきは、ハウジングに収容されたコネクタ端子のアーム接続部の弾性変形に影響を与えてしまい、アーム部の端部とアーム接続部との接触荷重に変動が生じ、抵抗上昇が発生するなど、接続信頼性が低下する虞があった。
【０００９】
そこで、この発明は、接続信頼性を保持することができるサンバイザ用コネクタの提供を目的としている。
【課題を解決するための手段】
【００１０】
請求項１記載の発明は、取付部材に取り付けられるブラケットと、前記取付部材の一側に配置されたサンバイザ本体を回動可能に支持し端部が前記ブラケットを挿通して回動可能に配置されるアーム部と、前記ブラケットの前記取付部材の他側に固定され前記ブラケットを挿通する前記アーム部の端部近傍に配置されるハウジングと、前記ハウジングに収容され前記取付部材の他側に配置された相手端子に接続されるコネクタ端子と、前記コネクタ端子に弾性変形可能に設けられ前記アーム部の端部に付勢力によって接続されるアーム接続部と、前記ブラケットと前記ハウジングとの間に設けられ前記ブラケットと前記ハウジングとのうちいずれか一方に設けられた凸部を他方に設けられた凹部に挿入して係合する係合部と、前記凸部と前記凹部とのうち少なくともいずれか一方に設けられ他方に対して前記アーム接続部の変形方向に押圧して当接される第１規制部とを有することを特徴とするサンバイザ用コネクタである。
【００１１】
このサンバイザ用コネクタでは、凸部と凹部とのうち少なくともいずれか一方に、他方に対してアーム接続部の変形方向に押圧して当接される第１規制部が設けられているので、ブラケットにハウジングが組付けられた状態で、ハウジングがアーム接続部の変形方向にガタつくことを防止することができる。
【００１２】
このため、ハウジングに収容されたコネクタ端子のアーム接続部が、ハウジングのガタつきによって、アーム部の端部に対して変形方向に変動しながら接触されることがなく、アーム部の端部とアーム接続部との接触荷重に変動が生じることを防止することができる。
【００１３】
従って、このようなサンバイザ用コネクタでは、ハウジングのガタつきによるアーム部の端部とアーム接続部との接触荷重の変動が生じことがなく、接続信頼性を保持することができる。
【００１４】
請求項２記載の発明は、請求項１記載のサンバイザ用コネクタであって、前記第１規制部は、前記ハウジングを前記アーム接続部の付勢方向に押圧することを特徴とする。
【００１５】
このコネクタでは、第１規制部が、ハウジングをアーム接続部の付勢方向に押圧するので、ハウジングが、アーム接続部がアーム部の端部から離れる方向にガタつくことがなく、アーム部の端部とアーム接続部との接触荷重を保持することができる。
【００１６】
請求項３記載の発明は、請求項１又は２記載のサンバイザ用コネクタであって、前記ブラケットと前記ハウジングとの間には、前記ハウジングを前記ブラケットに回動させて組付けるときの支点となる支点部が設けられ、前記凸部には、前記ハウジングの回動軌跡に沿って傾斜され前記凸部の前記凹部への挿入を案内する挿入ガイド部が設けられていることを特徴とする。
【００１７】
このサンバイザ用コネクタでは、凸部に、ハウジングの回動軌跡に沿って傾斜され凸部の凹部への挿入を案内する挿入ガイド部が設けられているので、ハウジングをブラケットに組付けるときに、凸部を凹部にスムーズに挿入させることができ、組付性を向上することができる。
【００１８】
請求項４記載の発明は、請求項１乃至３のいずれか１項に記載のサンバイザ用コネクタであって、前記凸部と前記凹部とのうち少なくともいずれか一方には、他方に対して前記アーム接続部の変形方向と直交する方向に押圧して当接される第２規制部が設けられていることを特徴とする。
【００１９】
このサンバイザ用コネクタでは、凸部と凹部とのうち少なくともいずれか一方に、他方に対してアーム接続部の変形方向と直交する方向に押圧して当接される第２規制部が設けられているので、ハウジングがアーム接続部の変形方向と直交する方向にガタつくことがなく、アーム部の端部とアーム接続部との接触荷重をさらに保持することができる。
【発明の効果】
【００２０】
本発明によれば、接続信頼性を保持することができるサンバイザ用コネクタを提供することができるという効果を奏する。
【図面の簡単な説明】
【００２１】
【図１】本発明の実施の形態に係るサンバイザ用コネクタが適用されたサンバイザの斜視図である。
【図２】本発明の実施の形態に係るサンバイザ用コネクタが適用されたサンバイザを取付部材に取り付けたときの側面図である。
【図３】本発明の実施の形態に係るサンバイザ用コネクタの斜視図である。
【図４】本発明の実施の形態に係るサンバイザ用コネクタの側面図である。
【図５】図４のＸ−Ｘ断面図である。
【図６】図５の要部拡大図である。
【図７】図４のＹ−Ｙ断面図である。
【図８】図７の要部拡大図である。
【図９】本発明の実施の形態に係るサンバイザ用コネクタのハウジングをブラケットに組付けるときの一部を断面とした斜視図である。
【図１０】図９の要部拡大図である。
【図１１】本発明の実施の形態に係るサンバイザ用コネクタのハウジングをブラケットに組付けるときの一部を断面とした斜視図である。
【図１２】図１１の要部拡大図である。
【図１３】図４のＺ−Ｚ断面図である。
【図１４】本発明の実施の形態に係るサンバイザ用コネクタのブラケットの斜視図である。
【図１５】図１４の要部拡大図である。
【図１６】本発明の実施の形態に係るサンバイザ用コネクタのアーム部の斜視図である。
【図１７】本発明の実施の形態に係るサンバイザ用コネクタのハウジングの斜視図である。
【図１８】本発明の実施の形態に係るサンバイザ用コネクタのハウジングの斜視図である。
【図１９】図１８の要部拡大図である。
【図２０】本発明の実施の形態に係るサンバイザ用コネクタのコネクタ端子の斜視図である。
【発明を実施するための形態】
【００２２】
図１〜図２０を用いて本発明の実施の形態に係るサンバイザ用コネクタについて説明する。
【００２３】
本実施の形態に係るサンバイザ用コネクタ１は、取付部材３に取り付けられるブラケット５と、取付部材３の一側（以下「車室側」とする）に配置されたサンバイザ本体７を回動可能に支持し端部がブラケット５を挿通して回動可能に配置されるアーム部９と、ブラケット５の取付部材３の他側（以下「車室外側」とする）に固定されブラケット５を挿通するアーム部９の端部近傍に配置されるハウジング１１と、ハウジング１１に収容され車室外側に配置された相手端子に接続されるコネクタ端子１３と、コネクタ端子１３に弾性変形可能に設けられアーム部９の端部に付勢力によって接続されるアーム接続部１５とを備えている。
【００２４】
また、ブラケット５とハウジング１１との間には、ハウジング１１に設けられた凸部１７をブラケット５に設けられた凹部１９に挿入して係合する係合部２１が設けられている。
【００２５】
そして、凸部１７には、凹部１９に対してアーム接続部１５の変形方向に押圧して当接される第１規制部２３が設けられている。
【００２６】
また、第１規制部２３は、ハウジング１１をアーム接続部１５の付勢方向に押圧する。
【００２７】
さらに、ブラケット５とハウジング１１との間には、ハウジング１１をブラケット５に回動させて組付けるときの支点となる支点部２５が設けられている。
【００２８】
そして、凸部１７には、ハウジング１１の回動軌跡に沿って傾斜され凸部１７の凹部１９への挿入を案内する挿入ガイド部２７が設けられている。
【００２９】
また、凹部１９には、凸部１７に対してアーム接続部１５の変形方向と直交する方向に押圧して当接される第２規制部２９が設けられている。
【００３０】
図１〜図２０に示すように、サンバイザ用コネクタ１は、取付部材３としての車室の天井に取り付けられるサンバイザ３１に適用される。
【００３１】
サンバイザ３１は、サンバイザ本体７と、サンバイザ用コネクタ１とを備えている。
【００３２】
サンバイザ本体７は、長方形状に形成されて取付部材３としての天井の車室側に配置され、表面にミラー（不図示）とミラーを照射するランプ（不図示）が配置され、内部にランプを点灯、消灯する照明機器（不図示）が収容されている。
【００３３】
このサンバイザ本体７には、長辺部分に挿通され、端部から天井（取付部材３）側に向けて露出するアーム部９が配置され、サンバイザ用コネクタ１を介して天井（取付部材３）の車室外側に配置された電力供給用の電源（不図示）に照明機器が電気的に接続される。
【００３４】
サンバイザ用コネクタ１は、ブラケット５と、アーム部９と、ハウジング１１と、コネクタ端子１３とを備えている。
【００３５】
ブラケット５は、長方形の板状に形成され、長さ方向の両側にそれぞれ設けられた取付部３３，３３でボルトなどの固定手段を介して取付部材３に固定される。
【００３６】
このブラケット５の中央部には、アーム部９の端部が挿通され、アーム部９を回動可能に支持する筒状に形成された支持部３５が設けられている。
【００３７】
アーム部９は、内部にサンバイザ本体７に収容された照明機器と電気的に接続される２本の導体（不図示）がインサート成形され、長軸部３７と、短軸部３９とを備えている。
【００３８】
長軸部３７は、サンバイザ本体７の長辺近傍の内部に挿通され、サンバイザ本体７を、長軸部３７の軸心回りにおいて、格納位置（取付部材３に対して閉じた状態となる位置）と遮光位置（フロントガラスやサイドガラスに対して閉じた状態となる位置）との間で、回動可能に支持する。
【００３９】
この長軸部３７のサンバイザ本体７の内部に位置する端部には、アーム部９の内部にインサート成形された２本の導体が露出して配置された一対の接点部（不図示）が設けられ、照明機器に設けられた一対の端子（不図示）が接触されている。
【００４０】
この一対の接点部と一対の端子とは、例えば、サンバイザ本体７の格納位置で非接触とされてランプを消灯し、サンバイザ本体７の遮光位置で接触されてランプを点灯させる。
【００４１】
このような長軸部３７のサンバイザ本体７の外部に露出する端部には、短軸部３９が連続する一部材で設けられている。
【００４２】
短軸部３９は、アーム部９をＬ字状に形成するように、サンバイザ本体７から露出する長軸部３７の端部から取付部材３側に向けて延設されている。
【００４３】
この短軸部３９は、取付部材３側に、短軸部３９の軸心回りに回転する回動部４１が設けられ、この回動部４１をブラケット５の支持部３５に挿通させ、圧入して固定することにより、アーム部９が短軸部３９の軸心回りに回動可能にブラケット５に支持される。
【００４４】
このように短軸部３９をブラケット５に支持することにより、サンバイザ本体７が、短軸部３９の軸心回りにおいて、フロント位置（フロントガラス側に移動した位置）とサイド位置（サイドガラス側に移動した位置）との間を、回動可能となる。
【００４５】
このような短軸部３９のブラケット５を挿通する端部には、アーム部９の内部にインサート成形された２本の導体が露出して配置された一対の接点部４３，４３が設けられている。
【００４６】
この一対の接点部４３，４３が配置されたブラケット５には、一対の接点部４３，４３を覆うようにハウジング１１が配置される。
【００４７】
ハウジング１１は、合成樹脂などの絶縁性材料からなり、取付部材３の車室外側に配置され、電力供給用の電源に接続された相手ハウジング（不図示）が嵌合される一対の嵌合部４５，４５が設けられている。
【００４８】
このハウジング１１は、ブラケット５の支持部３５を覆うように配置され、ハウジング１１とブラケット５との間に設けられた係合部２１を介してハウジング１１がブラケット５に固定される。
【００４９】
係合部２１は、ハウジング１１の一対の嵌合部４５，４５が位置するブラケット５側との対向面からブラケット５側に向けて延設された凸部１７，１７と、ブラケット５の支持部３５の両側で凸部１７，１７を挿入可能に設けられた凹部１９，１９とからなる。
【００５０】
この係合部２１の一端側には、凸部１７，１７の一端側でハウジング１１の側面から外方に向けて突設された支点凸部４７，４７と、凹部１９，１９の一端側でブラケット５の上面を残して支点凸部４７を収容可能に設けられた支点凹部４９，４９とからなる支点部２５，２５が設けられている。
【００５１】
この支点部２５は、ハウジング１１をブラケット５に組付けるときに、支点凸部４７と支点凹部４９とが係合され、ハウジング１１をブラケット５に対して回動させるときの支点となる。
【００５２】
このような支点部２５を介してハウジング１１をブラケット５に対して回動させることにより、係合部２１において、凸部１７，１７が凹部１９，１９に挿入されて係合され、ハウジング１１がブラケット５に固定される。
【００５３】
このようなハウジング１１の内部には、一対のコネクタ端子１３，１３が収容され、一対の嵌合部４５，４５に相手ハウジングを嵌合させることにより、アーム部９を介してサンバイザ本体７の内部に収容された照明機器への電力供給が可能となる。
【００５４】
一対のコネクタ端子１３，１３は、それぞれ本体部５１と、相手接続部５３と、アーム接続部１５と、固定部５５とを備えている。
【００５５】
なお、一対のコネクタ端子１３，１３は、左右対称に形成されているので、以下では、一方のコネクタ端子１３について説明し、他方のコネクタ端子１３の説明については省略する。
【００５６】
本体部５１は、導電性材料からなり、平板状に形成され、折り曲げ加工を施すことにより、一端側に相手接続部５３が設けられ、他端側にアーム接続部１５が設けられている。
【００５７】
相手接続部５３は、本体部５１の一端側に折り曲げ加工を施すことにより、内部に接点を有する弾性変形可能な弾性片が配置された箱状に形成されている。
【００５８】
この相手接続部５３は、ハウジング１１に収容された状態で、嵌合部４５内に配置され、嵌合部４５に相手ハウジングが嵌合されることにより、相手ハウジングに収容された相手端子（不図示）と接触し、コネクタ端子１３と相手端子とが電気的に接続される。
【００５９】
アーム接続部１５は、本体部５１の他端側に折り曲げ加工を施すことにより、屈曲部５７を介して弾性変形可能に設けられ、アーム部９の接点部４３側に向けて突出する接点１５ａが設けられている。
【００６０】
このアーム接続部１５は、ハウジング１１に収容された状態で、ハウジング１１のアーム部９の一対の接点部４３，４３に向けて露出する保護部５９内で、一対の接点部４３，４３（短軸部３９の端部）を挟んで、他方のコネクタ端子１３のアーム接続部１５と対向して配置される。
【００６１】
このようなアーム接続部１５は、他方のコネクタ端子１３のアーム接続部１５と、一対の接点部４３，４３に対してその付勢力によって挟持するように接触され、コネクタ端子１３とアーム部９とが電気的に接続される。
【００６２】
ここで、アーム部９は、ブラケット５に対して短軸部３９の軸心回りを回動可能となっているので、サンバイザ本体７は、フロント位置とサイド位置との間を回動可能となっている。
【００６３】
このようなサンバイザ本体７の動きに対して、一対のアーム接続部１５，１５と一対の接点部４３，４３とは、例えば、サンバイザ本体７のフロント位置で接触されてランプを点灯し、サンバイザ本体７のサイド位置で非接触とされてランプを消灯させる。
【００６４】
このようなアーム接続部１５と相手接続部５３との間に位置する本体部５１には、ハウジング１１にコネクタ端子１３を固定させる固定部５５が設けられている。
【００６５】
固定部５５は、本体部５１の相手接続部５３とアーム接続部１５との間に位置する側面からハウジング１１の内壁面に向けて突設されている。
【００６６】
この固定部５５には、幅方向の両側にそれぞれ外方に向けて傾斜形状に突設された圧入部６１，６１が設けられている。
【００６７】
この圧入部６１，６１は、ハウジング１１の内部に設けられた被圧入部に圧入されることによって、コネクタ端子１３をハウジング１１に固定させる。
【００６８】
このような固定部５５は、ハウジング１１をブラケット５に組付ける前の状態で、ハウジング１１の被圧入部に圧入され、予めコネクタ端子１３をハウジング１１に固定させる。
【００６９】
なお、固定部５５と相手接続部５３との間に位置する本体部５１には、相手端子と相手接続部５３との嵌合方向と直交する平面方向と、相手端子と相手接続部５３との嵌合方向と平行な平面方向とに折り曲げられた折曲部６３が設けられている。
【００７０】
この折曲部６３は、相手接続部５３と相手端子との間で発生した遊動などの相手接続部５３側で発生した振動を減衰させ、アーム接続部１５側で接触不良が生じることを抑制している。
【００７１】
加えて、折曲部６３を設けることにより、相手接続部５３とアーム接続部１５とを近接して配置することができ、コネクタ端子１３を収容するハウジング１１を小型化することができる。
【００７２】
このようにハウジング１１に固定部５５で固定されたコネクタ端子１３は、ブラケット５とハウジング１１との間の係合部２１で隙間が形成されていると、ハウジング１１にガタつきが生じ、このガタつきがコネクタ端子１３に伝達されてしまう。
【００７３】
このようにハウジング１１のガタつきがコネクタ端子１３に伝達されると、弾性変形によってアーム部９の接点部４３に接触するアーム接続部１５の接触荷重に変動が生じ、抵抗上昇などを引き起こしてしまう虞がある。
【００７４】
特に、ハウジング１１にアーム接続部１５の変形方向にガタが生じると、アーム接続部１５が変形方向にガタつき、アーム部９の接点部４３に対する接触荷重が変動し易くなってしまう。
【００７５】
そこで、係合部２１を構成する凸部１７と凹部１９とには、第１規制部２３と、第２規制部２９とが設けられている。
【００７６】
第１規制部２３は、凸部１７に凹部１９の内壁面に向けて突設された凸側枠部６５内の底部に設けられ、凸側枠部６５の底部から凹部１９の内壁面に向けて突出し、凸部１７の高さ方向に向けて延設されたリブとなっている。
【００７７】
この第１規制部２３の突出方向は、アーム接続部１５の変形方向（ここではブラケット５の幅方向）と同一となっている。
【００７８】
このような第１規制部２３は、突出方向に対向する凹部１９の内壁面を押圧するように当接し、係合部２１における凸部１７と凹部１９とのアーム接続部１５の変形方向の間のガタを詰める。
【００７９】
このように第１規制部２３によって凸部１７と凹部１９とのアーム接続部１５の変形方向の間のガタを詰めることにより、ハウジング１１がブラケット５に対してアーム接続部１５の変形方向（ここではブラケット５の幅方向）にガタつくことがない。
【００８０】
このため、ハウジング１１に固定されたコネクタ端子１３のアーム接続部１５が、変形方向にガタつくことがなく、アーム部９の接点部４３に対する接触荷重の変動を抑制し、抵抗上昇などを抑制することができる。
【００８１】
ここで、第１規制部２３の突出方向は、アーム接続部１５の変形方向において、アーム接続部１５の付勢方向と反対側（ここではブラケット５の幅方向の外側）となっている。
【００８２】
このように第１規制部２３を突出させることにより、第１規制部２３が凹部１９の内壁面と当接したとき、図５の矢印で示すように、ハウジング１１がアーム接続部１５の付勢方向（ここではブラケット５の幅方向の内側）に向けて押圧される。
【００８３】
このように第１規制部２３でハウジング１１をアーム接続部１５の付勢方向に押圧することにより、アーム接続部１５がアーム部９の接点部４３との接触荷重が高まる方向にガタ詰めされ、アーム部９の接点部４３とアーム接続部１５との接触を安定化することができる。
【００８４】
第２規制部２９は、凹部１９に凸部１７の凸側枠部６５と互い違いに配置されるように突設された凹側枠部６７の両側壁にそれぞれ設けられ、凹側枠部６７の側壁から凸側枠部６５の側壁に向けて突出し、凹部１９の高さ方向に向けて延設されたリブとなっている。
【００８５】
この第２規制部２９の突出方向は、アーム接続部１５の変形方向と直交する方向（ここではブラケット５の長さ方向）と同一となっている。
【００８６】
このような第２規制部２９は、突出方向に対向する凸側枠部６５の側壁を押圧するように当接し、係合部２１における凸部１７と凹部１９とのアーム接続部１５の変形方向と直交する方向の間のガタを詰める。
【００８７】
このように第２規制部２９によって凸部１７と凹部１９とのアーム接続部１５の変形方向と直交する方向の間のガタを詰めることにより、ハウジング１１がブラケット５に対してアーム接続部１５の変形方向と直交する方向（ここではブラケット５の長さ方向）にガタつくことがない。
【００８８】
このため、ハウジング１１に固定されたコネクタ端子１３のアーム接続部１５が、変形方向と直交する方向にガタつくことがなく、アーム部９の接点部４３に対する接触荷重の変動をさらに抑制し、抵抗上昇などをさらに抑制することができる。
【００８９】
ここで、係合部２１における凸部１７と凹部１９とには、凸部１７と凹部１９とを押圧して当接する第１規制部２３と第２規制部２９とが設けられているので、凸部１７を凹部１９に挿入するときに、凸部１７が凹部１９に圧入される状態となる。
【００９０】
このため、凸部１７の凹部１９に対する挿入位置が不安定であると、凸部１７を凹部１９に挿入し難く、組付性が低下する虞があった。
【００９１】
そこで、凸部１７には、ハウジング１１をブラケット５に組付けるときに、凸部１７の凹部１９への挿入を案内する挿入ガイド部２７が設けられている。
【００９２】
挿入ガイド部２７は、凸部１７の支点部２５と凸側枠部６５との間に設けられ、支点部２５を支点としてハウジング１１をブラケット５に対して回動させたときのハウジング１１の回動軌跡に沿って、支点部２５から凸側枠部６５に向けて傾斜するように形成されている。
【００９３】
この挿入ガイド部２７は、支点部２５を支点としてハウジング１１をブラケット５に対して回動させたときに、凹部１９内に挿入され、凸側枠部６５の凹側枠部６７に対する配置位置を位置決めするように、ハウジング１１の回動を案内する。
【００９４】
このように挿入ガイド部２７を設けることにより、ハウジング１１の回動動作に合わせて、凸部１７を凹部１９に容易に挿入することができ、組付性を向上することができる。
【００９５】
なお、第１規制部２３と第２規制部２９とのブラケット５とハウジング１１との対向面側には、それぞれテーパ面が設けられており、凸部１７の凹部１９への挿入がし易くされている。
【００９６】
このようなサンバイザ用コネクタ１では、凸部１７に、凹部１９に対してアーム接続部１５の変形方向に押圧して当接される第１規制部２３が設けられているので、ブラケット５にハウジング１１が組付けられた状態で、ハウジング１１がアーム接続部１５の変形方向にガタつくことを防止することができる。
【００９７】
このため、ハウジング１１に収容されたコネクタ端子１３のアーム接続部１５が、ハウジング１１のガタつきによって、アーム部９の端部に対して変形方向に変動しながら接触されることがなく、アーム部９の端部とアーム接続部１５との接触荷重に変動が生じることを防止することができる。
【００９８】
従って、このようなサンバイザ用コネクタ１では、ハウジング１１のガタつきによるアーム部９の端部とアーム接続部１５との接触荷重の変動が生じことがなく、接続信頼性を保持することができる。
【００９９】
また、第１規制部２３は、ハウジング１１をアーム接続部１５の付勢方向に押圧するので、ハウジング１１が、アーム接続部１５がアーム部９の端部から離れる方向にガタつくことがなく、アーム部９の端部とアーム接続部１５との接触荷重を保持することができる。
【０１００】
さらに、凸部１７には、ハウジング１１の回動軌跡に沿って傾斜され凸部１７の凹部１９への挿入を案内する挿入ガイド部２７が設けられているので、ハウジング１１をブラケット５に組付けるときに、凸部１７を凹部１９にスムーズに挿入させることができ、組付性を向上することができる。
【０１０１】
また、凹部１９には、凸部１７に対してアーム接続部１５の変形方向と直交する方向に押圧して当接される第２規制部２９が設けられているので、ハウジング１１がアーム接続部１５の変形方向と直交する方向にガタつくことがなく、アーム部９の端部とアーム接続部１５との接触荷重をさらに保持することができる。
【０１０２】
なお、本発明の実施の形態に係るサンバイザ用コネクタでは、凸部がハウジングに設けられ、凹部がブラケットに設けられているが、これに限らず、凸部をブラケットに設け、凹部をハウジングに設けてもよい。
【０１０３】
また、第１規制部は、凸部に設けられているが、これに限らず、第１規制部を凹部に設ける、或いは第１規制部を凸部と凹部とに設けてもよい。
【０１０４】
さらに、同様に、第２規制部は、凹部に設けられているが、これに限らず、第２規制部を凸部に設ける、或いは第２規制部を凸部と凹部とに設けてもよい。
【０１０５】
また、第１規制部と第２規制部とは、凸部や凹部に設けられたリブとなっているが、これに限らず、例えば、半球状に突出された突起などであってもよく、凸部や凹部を押圧して当接できる形状であれば、第１規制部と第２規制部とはどのような形状であってもよい。
【符号の説明】
【０１０６】
１…サンバイザ用コネクタ
３…取付部材
５…ブラケット
７…サンバイザ本体
９…アーム部
１１…ハウジング
１３…コネクタ端子
１５…アーム接続部
１７…凸部
１９…凹部
２１…係合部
２３…第１規制部
２５…支点部
２７…挿入ガイド部
２９…第２規制部
【図１】
2020019417.tif 000003
【図２】
2020019417.tif 000004
【図３】
2020019417.tif 000005
【図４】
2020019417.tif 000006
【図５】
2020019417.tif 000007
【図６】
2020019417.tif 000008
【図７】
2020019417.tif 000009
【図８】
2020019417.tif 000010
【図９】
2020019417.tif 000011
【図１０】
2020019417.tif 000012
【図１１】
2020019417.tif 000013
【図１２】
2020019417.tif 000014
【図１３】
2020019417.tif 000015
【図１４】
2020019417.tif 000016
【図１５】
2020019417.tif 000017
【図１６】
2020019417.tif 000018
【図１７】
2020019417.tif 000019
【図１８】
2020019417.tif 000020
【図１９】
2020019417.tif 000021
【図２０】
2020019417.tif 000022